(57)【特許請求の範囲】
【請求項１】
係止用の内フック及び係止用の外フックを有し、天井部の表面が室内の天井面を形成する天井面形成用パネルと、
前記天井面形成用パネルをその裏側で取り付けるための桟部材と、
前記桟部材に取り付けられ、前記係止用の内フックを係止する第１のフック係止部と、
前記桟部材に取り付けられ、前記係止用の外フックを係止する第２のフック係止部と、
前記天井部と前記第１のフック係止部との間に配置されるように前記第１のフック係止部に取り付けられ、前記天井面形成用パネルの前記天井部の裏面に前記係止用の内フックを係止する方向のばね力を付与する第１のスプリングと、
前記第２のフック係止部に取り付けられ、前記天井面形成用パネルの前記係止用の外フックに前記係止用の外フックを係止する方向のばね力を付与する第２のスプリングと、
を備えた天井面形成用パネルの取付構造。
【請求項２】
前記天井面形成用パネルは、前記桟部材にワイヤを介して保持される請求項１に記載の天井面形成用パネルの取付構造。
【請求項３】
請求項１又は２に記載の天井面形成用パネルの取付構造を備えた空気調和ユニットであって、
前記天井面形成用パネルは、熱交換用の調和水を流通させるパイプを裏面に有する熱媒体式パネル、及び循環用の調和空気を流通させるチャンバーを裏面に有する空気式パネルを含む
空気調和ユニット。
【請求項４】
天井側の蓄熱体に空気流通経路を介して吊設された請求項３に記載の空気調和ユニットと、
前記蓄熱体と前記空気流通経路との間で熱交換された空気を前記天井側と前記室内側との間で循環させるとともに、前記チャンバーを流通する前記循環用の調和空気を制御する第１の制御部と、
前記パイプを流通する前記熱交換用の調和水を制御する第２の制御部とを備えた空気調和システム。
【請求項５】
前記天井面形成用パネルは、前記天板部に対して裏面側に傾斜した傾斜壁を有し、前記係止用の内フックは、前記傾斜壁の上方端縁に設けられた請求項１に記載の天井面形成用パネルの取付構造。
【発明の詳細な説明】
【技術分野】
【０００１】
本発明は、天井面形成用パネルの取付構造、空気調和ユニット及び空気調和システムに関する。
【背景技術】
【０００２】
従来、パネル表面が天井面を形成する複数の天井面形成用パネルと、これら天井面形成用パネルをその裏側で取り付ける複数対の桟部材とを備えた天井パネルの取付構造が知られている（例えば、特許文献１参照）。
【０００３】
複数の天井面形成用パネルは、各側縁に立ち上がり壁が設けられた平面矩形状のパネル本体、及び熱媒体を内部に流通させるパイプを有し、パネル本体の両側縁がそれぞれ各対の桟部材に支持されている。
【０００４】
パネル本体は、互いに並列する一対の係止用の外フックを各側縁の立ち上がり壁外側に有し、全体が金属製の板部材によって形成されている。パネル本体の高さは、パイプの外径よりも大きい寸法に設定されている。パイプは、その中央部で折り返されてパネル本体の裏面に設置され、全体が合成樹脂製の可撓性部材によって形成されている。
【０００５】
各対の桟部材は、パネル本体の外フックを係止するフック係止部を有し、パネル本体の外フックの下方に配置され、かつ天井面形成用パネルの裏側で建物側に取り付けられている。
【０００６】
このような天井面形成用パネルの取付構造において、各対の桟部材に対する天井面形成用パネルの取り付けは、次の（１）〜（５）の手順を経て行われる。
【０００７】
（１）パネル本体における一方の側縁が上に、また他方の側縁が下になるようにして天井面形成用パネルを斜めの姿勢で保持する。
【０００８】
（２）上記（１）の状態を維持しながら天井面形成用パネルを上昇させ、パネル本体における両側縁が桟部材よりも上方になるようにして天井面形成用パネルを保持する。この場合、天井面形成用パネルの斜めの姿勢が維持され、一対の外フックがそれぞれ対応するフック係止部の斜め上方に配置される。
【０００９】
（３）上記（２）の状態から天井面形成用パネルの姿勢を水平の姿勢に変え、天井面形成用パネルを水平に保持する。
【００１０】
（４）上記（３）の状態から一対の外フックがそれぞれ対応するフック係止部の直上方になるように天井面形成用パネルを水平方向に移動させる。
【００１１】
（５）上記（４）の状態から天井面形成用パネルを垂直に下降させて一対の外フックをそれぞれ対応するフック係止部に係止する。
【００１２】
このようにして、建物における各対の桟部材に天井面形成用パネルを取り付けることができる。
【先行技術文献】
【特許文献】
【００１３】
【特許文献１】特開平１１−２４１８５６号公報
【発明の概要】
【発明が解決しようとする課題】
【００１４】
しかし、従来の天井面形成用パネルの取付構造によると、天井面形成用パネルの取付時にステップ数が嵩み、天井面形成用パネルの取付作業を煩雑にするという問題がある。
【００１５】
また、従来の天井面形成用パネルの取付構造によると、フック係止部に対する外フックの係止力が低く、地震などの比較的大きな揺れによって桟部材から天井面形成用パネルが外れる虞がある。
【００１６】
従って、本発明の目的は、吊設型天井面形成用パネルの取付作業を簡単に行うことができるとともに、桟部材から天井面形成用パネルが外れる虞を解消することができる天井面形成用パネルの取付構造、空気調和ユニット及び空気調和システムを提供することにある。
【課題を解決するための手段】
【００１７】
本発明は、上記目的を達成するために、（１）〜（５）の天井面形成用パネルの取付構造、空気調和ユニット及び空気調和システムを提供する。
【００１８】
（１）係止用の内フック及び係止用の外フックを有し、天井部の表面が室内の天井面を形成する天井面形成用パネルと、前記天井面形成用パネルをその裏側で取り付けるための桟部材と、前記桟部材に取り付けられ、前記係止用の内フックを係止する第１のフック係止部と、前記桟部材に取り付けられ、前記係止用の外フックを係止する第２のフック係止部と、前記天井部と前記第１のフック係止部との間に配置されるように前記第１のフック係止部に取り付けられ、前記天井面形成用パネルの前記天井部の裏面に前記係止用の内フックを係止する方向のばね力を付与する第１のスプリングと、前記第２のフック係止部に取り付けられ、前記天井面形成用パネルの前記係止用の外フックに前記係止用の外フックを係止する方向のばね力を付与する第２のスプリングと、を備えた天井面形成用パネルの取付構造。
【００１９】
（２）上記（１）に記載の天井面形成用パネルの取付構造において、前記天井面形成用パネルは、前記桟部材にワイヤを介して保持される。
【００２０】
（３）上記（１）又は（２）に記載の天井面形成用パネルの取付構造を備えた空気調和ユニットであって、前記天井面形成用パネルは、熱交換用の調和水を流通させるパイプを裏面に有する熱媒体式パネル、及び循環用の調和空気を流通させるチャンバーを裏面に有する空気式パネルを含む空気調和ユニット。
【００２１】
（４）天井側の蓄熱体に空気流通経路を介して配置された上記（３）に記載の空気調和ユニットと、前記蓄熱体と前記空気流通経路との間で熱交換された空気を前記天井側と前記室内側との間で循環させるとともに、前記チャンバーを流通する前記循環用の調和空気に制御する第１の制御部と、前記パイプを流通する前記熱交換用の調和水に制御する第２の制御部とを備えた空気調和システム。
【００２２】
（５）上記（１）に記載の天井面形成用パネルの取付構造において、前記天井面形成用パネルは、前記天板部に対して裏面側に傾斜した傾斜壁を有し、前記係止用の内フックは、前記傾斜壁の上方端縁に設けられる。
【発明の効果】
【００２３】
本発明によれば、天井面形成用パネルの取付作業を簡単に行うことができるとともに、支持桟から天井面形成用パネルが外れる虞を解消することができる。
【図面の簡単な説明】
【００２４】
【図１】図１（ａ）及び（ｂ）は、本発明の実施の形態に係る空気調和システムを構成する空気調和ユニットを天井裏側から見た状態を示す平面図である。（ａ）は空気調和ユニットの一例を、また（ｂ）はその変形例を示す。
【図２】図２は、建物の室内の一例を示す断面図である。
【図３】図３は、本発明の実施の形態に係る天井面形成用パネルの取付構造を説明するために示す断面図である。
【図４】図４（ａ）及び（ｂ）は、本発明の実施の形態に係る天井面形成用パネルの取付構造における熱媒体式パネルを示す平面図とそのＦ−Ｆ断面図である。図４（ａ）は平面図を、また図４（ｂ）はＦ−Ｆ断面図をそれぞれ示す。
【図５】図５は、本発明の実施の形態に係る天井面形成用パネルの取付構造におけるパイプの設置状態を示す断面図である。
【図６】図６（ａ）及び（ｂ）は、本発明の実施の形態に係る天井面形成用パネルの取付構造における空気式パネルを示す平面図とそのＧ−Ｇ断面図である。図６（ａ）は平面図を、また図６（ｂ）はＧ−Ｇ断面図をそれぞれ示す。
【図７】図７は、本発明の実施の形態に係る天井面形成用パネルの取付構造におけるチャンバーの保持状態を示す断面図である。
【図８】図８（ａ）及び（ｂ）は、本発明の実施の形態に係る天井面形成用パネルの取付構造において、天井面形成用パネルにチャンバーを保持するために用いられるチャンバー保持用スプリングを示す正面図と側面図である。図８（ａ）は正面図を、また図８（ｂ）は側面図をそれぞれ示す。
【図９】図９は、本発明の実施の形態に係る空気調和システムにおける配管の系統を説明するために示す系統図である。
【図１０】図１０（ａ）〜（ｃ）は、本発明の実施の形態に係る天井面形成用パネルの取付方法を説明するために示す断面図である。図１０（ａ）は第１のステップを、図１０（ｂ）は第２のステップを、また図１０（ｃ）は第３のステップをそれぞれ示す。
【図１１】図１１（ａ）及び（ｂ）は、本発明の実施の形態に係る天井面形成用パネルにおけるチャンバーの保持方法を説明するために示す断面図である。図１１（ａ）はチャンバーの保持前を、また図１１（ｂ）はチャンバーの保持後をそれぞれ示す。
【発明を実施するための形態】
【００２５】
図１は空気調和システムを示す。図１に示すように、空気調和システム１０は、輻射及び対流による熱交換によって建物等における例えばオフィス等の室１内の温度と湿度又は温度のみを調節する複数の空気調和ユニット１１を有し、複数の空気調和ユニット１１が室１内の上方で平面縦方向及び横方向に整列して吊設されている。
【００２６】
（室１の構成）
室１は、例えば上下（紙面に対して垂直）方向に延びる複数の柱部１ａを有し、屋外９に面してガラス窓１ｂが配置されている。
【００２７】
柱部１ａは、本実施の形態では、平面縦方向及び横方向に等間隔をもって並列し、全体として正方格子状に配置されている。また、柱部１ａは、平面縦方向及び横方向に延びる複数の梁部１ｃによって連結されている。
【００２８】
柱部１ａ及び梁部１ｃは、主材料としてコンクリートを含み、全体が断面矩形状に形成されている。これら柱部１ａ及び梁部１ｃにより、室１内の平面空間が窓側の領域Ｅａ，Ｅａ´と内側の領域Ｅｂ，Ｅｂ´とに仕切られる。窓側の領域Ｅａ，Ｅａ´及び内側の領域Ｅｂ，Ｅｂ´は、平面正方形状の空間で形成されている。
【００２９】
（空気調和ユニット１１の構成）
空気調和ユニット１１は、天井面形成用パネルとしての熱媒体式パネル２０及び空気式パネル３０を含み、窓側の領域Ｅａ，Ｅａ´及び内側の領域Ｅｂ，Ｅｂ´に熱媒体式パネル２０と空気式パネル３０とを組み合わせて横２列に、また縦８列にそれぞれ並べることにより構成されている。互いに隣り合う２つの空気調和ユニット１１は梁部１ｃを挟んで配置されている。
【００３０】
窓側の領域Ｅａ，Ｅａ´に配置される空気調和ユニット１１は、内側の領域Ｅｂ，Ｅｂ´に配置される空気調和ユニット１１に比べて空気式パネル３０の数が多い。これは、窓側の領域Ｅａ，Ｅａ´においては内側の領域Ｅｂ，Ｅｂ´に比べて通常高い冷暖房能力が要求され、このため窓側の領域Ｅａ，Ｅａ´には内側の領域Ｅｂ，Ｅｂ´よりも空気式パネル３０を数多く配置する必要があるからである。本実施の形態においては、空気式パネル３０の冷暖房能力が熱媒体式パネル２０の冷暖房能力よりも高い。
【００３１】
なお、熱媒体式パネル２０及び空気式パネル３０は、図１（ｂ）に示すように、第１のパネル集合体ａ及び第２のパネル集合体ｂを構成する配置構造としてもよい。
【００３２】
第１のパネル集合体ａは、前方横４列に整列する熱媒体式パネル２０、及び後方横４列に整列する空気式パネル３０を有し、空気調和ユニット１１の左側に配置されている。
【００３３】
第２のパネル集合体ｂは、前方横４列に整列する熱媒体式パネル２０、及び後方横４列に整列する空気式パネル３０を有し、空気調和ユニット１１の右側に配置され、かつ第１のパネル集合体ａに空間部Ｇを介して並設されている。
【００３４】
空間部Ｇには、熱媒体式パネル２０及び空気式パネル３０の位置よりも高い位置で発光ダイオード（Light Emitting Diode：ＬＥＤ）素子等の室内照明灯２が配置されている。
【００３５】
熱媒体式パネル２０及び空気式パネル３０の形状としては、平面視において矩形状の他、正方形状や三角形状でもよく、一部に傾斜した辺を有する形状でもよい。三角形状の、また一部に傾斜した辺を有する熱媒体式パネル２０及び空気式パネル３０は、床面が矩形でない室内の天井に適用することが可能である。
【００３６】
空気調和ユニット１１は、領域Ｅａ，Ｅａ’，Ｅｂ，Ｅｂ’のいずれかを熱媒体式パネル２０又は空気式パネル３０のみで構成してもよい。各領域Ｅａ，Ｅａ’，Ｅｂ，Ｅｂ’に配置される熱媒体式パネル２０及び空気式パネル３０の枚数についても特に限定されない。
【００３７】
図２は建物の室内を示す。図２に示すように、空気調和ユニット１１は、取付構造４によって蓄熱体としてのスラブ５から吊設されている。空気調和ユニット１１には、スラブ５との間に空気流通経路４０が設けられている。取付構造４の詳細については後述する。
【００３８】
窓側の領域Ｅａ，Ｅａ´（図１に示す）では、熱媒体式パネル２０が窓側に、また空気式パネル３０が熱媒体式パネル２０におけるガラス窓１ｂと反対側にそれぞれ配置されている。
【００３９】
（冷暖房の機能）
ここで、空気調和システム１０（図１に示す）における冷暖房の機能（１）〜（５）につき、図２を用いて説明する。
【００４０】
（１）循環手段及び温度差によって調和空気（温度及び湿度等が調節された空気）が例えば図２に矢印Ａで示すように空気流通経路４０を流動し、さらに室１内を図２に矢印Ｆで示すように流動して室１内を循環し、室１内が冷暖房される。
【００４１】
（２）室１内側からの輻射と対流とによって空気が室１内側から図２に矢印Ｂ及びＣで示すように流動して熱媒体式パネル２０で吸熱され、また熱媒体式パネル２０側から放熱による輻射と対流とによって室１内側に流動し、室１内が冷暖房される。
【００４２】
（３）空気流通経路４０とスラブ５との間で熱交換が行われ、この熱交換された空気が図２に矢印Ａで示すように流動して室１内を循環し、室１内が冷暖房される。また、矢印ＤＤに示すように熱媒体式パネル２０がスラブ５から吸熱しスラブ５を冷却する。この場合、室１内の熱負荷が小さい夜間にスラブ５に蓄熱しておき、室１内の熱負荷が大きくなる昼間に蓄熱を利用すると効果的である。
【００４３】
（４）空気式パネル３０の通気孔３０ａから調和空気が図２に矢印Ｅで示す方向に排気され、室１内が冷暖房される。この場合、空気の対流を積極的に利用する場合とは異なり、室１内の居住者には空気の流動が殆ど認識されない。
【００４４】
（５）空気式パネル３０からの輻射熱によって室１内が冷暖房される。
【００４５】
空気調和システム１０は、主として（１）〜（５）の機能を利用することにより、室１内の温度を調節する。
【００４６】
（取付構造４）
次に、本発明の実施の形態に係る天井面形成用パネルの取付構造につき、図３を用いて説明する。図３は天井面形成用パネルの取付構造を示す。図３に示すように、取付構造４は、スラブ５，桟部材７及び天井面形成用パネル（熱媒体式パネル２０，空気式パネル３０）を備え、スラブ５に桟部材７を介して熱媒体式パネル２０及び空気式パネル３０を取り付けるためのものである。
【００４７】
本実施の形態においては、熱媒体式パネル２０及び空気式パネル３０は桟部材７に同様にして取り付けられるため、熱媒体式パネル２０の取付構造についてのみ説明し、空気式パネル３０の取付構造についての説明は省略する。
【００４８】
桟部材７は、互いに直交する縦桟４１及び横桟４２からなり、熱媒体式パネル２０及び空気式パネル３０の裏側における空気流通経路４０内に配置されている。
【００４９】
縦桟４１は、桟部材７のスラブ５側に配置され、かつ取付金具１７，１８等によってスラブ５に取り付けられている。縦桟４１の下方端縁には、熱媒体式パネル２０（第１のパネル）を保持するためのワイヤ２６を係止する係止金具として機能する補助桟２７が取り付けられている。
【００５０】
ワイヤ２６は、熱媒体式パネル２０（第１のパネル）の一方側側縁における角部（２箇所）に着脱用の止め具３３によって連結されている。
【００５１】
横桟４２は、互いに平行な第１の横桟４２０及び第２の横桟４２１からなり、桟部材７の熱媒体式パネル２０側に配置され、かつ縦桟４１に取り付けられている。
【００５２】
第１の横桟４２０は、熱媒体式パネル２０（第１のパネル）における他方側側縁の内フック２０ｂを係止する断面略Ｌ字状の第１のフック係止部４２０ａ、及び熱媒体式パネル２０（第１のパネル）を保持するためのワイヤ２８を係止する断面略逆Ｌ字状の第１のワイヤ係止部４２０ｂを有し、縦桟４１に取り付けられている。ここで、「内フック」とは、パネル本体２００の内側で係止されるフックをいう。
【００５３】
ワイヤ２８は、熱媒体式パネル２０（第１のパネル）の他方側側縁における角部（２箇所）に着脱用の止め具３４によって連結されている。そして、ワイヤ２８は、第１の横桟４２０に熱媒体式パネル２０（第１のパネル）をその角部４箇所でワイヤ２６と共に保持するように構成されている。これにより、パネル取付用のスプリング３５，３７及び第１のフック係止部４２０ａ，第２のフック係止部４２１ａによる熱媒体式パネル２０（第１のパネル）の取付状態を解除した後には、熱媒体式パネル２０（第１のパネル）を室１（図１に示す）内でワイヤ２６，２８によって略水平に保持することができ、この状態で熱媒体式パネル２０（第１のパネル）の裏側の保守・点検及びパイプ２１（後述）の交換等を行うことができる。この場合、熱媒体式パネル２０（第１のパネル）のワイヤ２８による保持状態を解除し、熱媒体式パネル２０（第１のパネル）をワイヤ２６のみで保持すると、熱媒体式パネル２０（第１のパネル）を略水平状態から略垂直状態に保持することができ、熱媒体式パネル２０（第１のパネル）の裏側の保守・点検及びパイプ２１の交換等を一層効果的に行うことができる。これ以外、４本のワイヤ２６，２８のうちいずれか２本のワイヤの保持状態を解除し、残る２本のワイヤのみで保持しても差し支えない。
【００５４】
また、第１の横桟４２０は、内フック２０ｂを第１のフック係止部４２０ａに係止する方向のばね力をもつパネル取付用のスプリング３５を熱媒体式パネル２０（第１のパネル）の裏面との間に介在させた状態で配置されている。
【００５５】
パネル取付用のスプリング３５は、略中央部で屈曲する屈曲部３５ａ、及び屈曲部３５ａを介して互いに連結する腕部３５ｂ，３５ｃを有する断面略Ｖ字状の板ばねからなり、熱媒体式パネル２０（第１のパネル）の他方側端縁における角部（２箇所）に配置され、熱媒体式パネル２０（第１のパネル）の裏面にばね力により一方の腕部３５ｂを押し付けて他方の腕部３５ｃが第１の横桟４２０に取り付けられている。そして、パネル取付用のスプリング３５は、屈曲角が小さくなる方向に外力を受けて弾性変形し、その外力の解除によって弾性復帰するように構成されている。
【００５６】
第２の横桟４２１は、熱媒体式パネル２０（第１のパネル）の一方側側縁における外フック２０ｃを係止する断面略Ｌ字状の第２のフック係止部４２１ａ、及び熱媒体式パネル２０（第１のパネルに隣接する第２のパネル）を保持するためのワイヤ２９を係止する断面略逆Ｌ字状の第２のワイヤ係止部４２１ｂを有し、第１の横桟４２０に並列して縦桟４１に取り付けられている。ここで、「外フック」とは、パネル本体２００の外側で係止されるフックをいう。
【００５７】
ワイヤ２９は、熱媒体式パネル２０（第２のパネル）に着脱用の止め具３６によって連結されている。そして、ワイヤ２９は、第２の横桟４２１に熱媒体式パネル２０（第２のパネル）をその４箇所で他のワイヤ（図示せず）と共に保持するように構成されている。これにより、熱媒体式パネル２０（第２のパネル）をワイヤ２９等で保持した状態で熱媒体式パネル２０（第２のパネル）の裏側の保守・点検を行うことができ、保守・点検作業の簡素化を図ることができる。
【００５８】
また、第２の横桟４２１は、熱媒体式パネル２０（第１のパネル）の外フック２０ｃ及び熱媒体式２０（第２のパネル）の内フック２０ｂを第２のフック係止部４２１ａに係止する方向のばね力をもつパネル取付用のスプリング３７を外フック２０ｃ及び内フック２０ｂと共に縦桟４１の下方端縁との間に介在させた状態で配置されている。
【００５９】
パネル取付用のスプリング３７は、略中央部で屈曲する屈曲部３７ａ、及び屈曲部３７ａを介して互いに連結する腕部３７ｂ，３７ｃを有する断面略Ｖ字状の板ばねからなり、熱媒体式パネル２０（第１のパネル）の一方側側縁における角部（２箇所）に配置され、第２のフック係止部４２１ａに対する係止状態の熱媒体式パネル２０（第１のパネル）の外フック２０ｃにばね力により一方の腕部３７ｂを押し付けて他方の腕部３５ｃが縦桟４１に取り付けられている。そして、パネル取付用のスプリング３７は、屈曲角が小さくなる方向に外力を受けて弾性変形し、その外力の解除によって弾性復帰するように構成されている。
【００６０】
本実施の形態においては、第１のフック係止部４２０ａに対する内フック２０ｂの係止状態がパネル取付用のスプリング３５によって、また第２のフック係止部４２１ａに対する外フック２０ｃの係止状態がパネル取付用のスプリング３７によってそれぞれ維持され、熱媒体式パネル２０（第１のパネル）が縦桟４１に第１の横桟４２０及び第２の横桟４２１を介して取り付けられる。
【００６１】
また、熱媒体式パネル２０（第２のパネル）及び空気式パネル３０についても、熱媒体式パネル２０（第１のパネル）と同様に、縦桟４１に第１の横桟４２０び第２の横桟４２１を介して取り付けられる。
【００６２】
（熱媒体式パネル２０の構成）
図４（ａ）及び（ｂ）は熱媒体式パネルを示す。図５はパイプの保持状態を示す。図４（ａ）及び（ｂ）に示すように、熱媒体式パネル２０は、パネル本体２００及びパイプ２１を備え、空気調和ユニット１１（図１に示す）の端部に配置され、かつ前述したように横桟４２（図３に示す）に取り付けられている。
【００６３】
熱媒体式パネル２０のサイズとしては、例えば幅が４００〜６００ｍｍ程度の寸法に、長さが２１００〜２３００ｍｍ程度の寸法に、また高さが３０〜５０ｍｍ程度の寸法にそれぞれ設定されている。
【００６４】
パネル本体２００は、天井部としての基部２００ａ、この基部２００ａに対して立ち上がる立ち上がり壁２０１，２０２、及びこれら立ち上がり壁２０１，２０２のいずれかに隣接してパネル裏面側に傾斜する傾斜壁２０３，２０４を有し、室１（図１に示す）内の上方に配置されている。そして、パネル本体２００は、上方に開口し、全体がアルミニウム，アルミニウム合金あるいは鋼等の金属材料かなる箱部材によって形成されている。パネル本体２００の形状については、熱媒体式パネル２０のパネル取付位置に応じて異なる。
【００６５】
基部２００ａには、その表裏面に開口する複数の吸音孔２０ａが設けられている。基部２００ａの裏面は、パイプ２１の設置領域を除くシート接着領域に複数の吸音孔２０ａを閉塞する遮光用シート２５が接着されている。
【００６６】
遮光用シート２５は、熱媒体式パネル２０よりもスラブ５側に照明灯が配置されている場合にその照明灯が視認されないようにするために、遮光性を有するものが好ましく、さらには吸音性及び通気性を有するものが好ましい。遮光用シート２５としては、不織布，フェルト，合成繊維等を用いることができる。
【００６７】
一方の立ち上がり壁２０１は、上方端縁に基部２００ａの裏面に対向する水平部２０５が設けられている。水平部２０５には、止め具３３，３４（図３に示す）をそれぞれ係止する係止孔２０９が設けられている。他方の立ち上がり壁２０２は、上方端縁に断面略逆Ｌ字状の外フック２０ｃが設けられている。
【００６８】
傾斜壁２０３，２０４は、各領域Ｅａ，Ｅａ´，Ｅｂ，Ｅｂ´（図１に示す）に配置されるパネル集合体の端部が傾斜壁となるように基部２００ａに対して所定の傾斜角（例えば４７°）をもって形成されている。
【００６９】
一方の傾斜壁２０３は、上方端縁に基部２００ａの裏面に対向する水平部２０８ａ、及びこの水平部２０８ａに垂直な垂直部２０８ｂからなる断面略Ｌ字状の折曲部２０８が設けられている。他方の傾斜壁２０４は、上方端縁に断面略逆Ｌ字状の内フック２０ｂが設けられている。水平部２０８ａには、水平部２０５と同様に止め具（図示せず）を係止する係止孔２０９が設けられている。
【００７０】
パイプ２１は、例えばガスバリア性（酸素不透過性）を有する３層構造の可撓性チューブからなり、パネル本体２００の基部２００ａの裏面上におけるパイプ設置領域に保持部材２２を介して設置され、かつフィードライン（後述する冷水フィードライン５１及び温水フィードライン５３）及びリターンライン（後述する冷水リターンライン５２及び温水リターンライン５４）にジョイント（図示せず）を介して接続されている。そして、パイプ２１は、温度，圧力，流量等が制御された熱媒体（本実施の形態では水）としての調和水を流通させるように構成されている。
【００７１】
パイプ２１の３層構造としては、ポリウレタンからなる第１の層、エチレン−ビニルアルコール共重合体（ＥＶＯＨ）からなる第２の層、及びポリウレタンからなる第３の層を内側から外側に順に積層してなる。ＥＶＯＨは、ガスバリア性が高く、パイプ２１中の流体に空気中の酸素が溶け込むことを防ぎ、延いてはパイプ２１のジョイントが金属で形成されている場合にその錆の発生を防ぐ。
【００７２】
また、パイプ２１は、立ち上がり壁２０１及び傾斜壁２０３の各長手方向に沿って延びる複数の直管部２１ａと、これら複数の直管部２１ａのうち互いに隣り合う２つの直管部を連結する複数の曲管部２１ｂからなり、全体としてパネル本体２００における基部２００ａの裏面上を蛇行する蛇行管によって形成されている。
【００７３】
複数の直管部２１ａは、その径方向に並列して基部２００ａの略中央部に配置され、かつ保持部材２２に保持されている。
【００７４】
複数の曲管部２１ｂは、基部２００ａの長手方向両側に配置されている。基部２００ａの長手方向一方側の曲管部２１ｂは立ち上がり壁２０２の近傍に、また基部２００ａの長手方向他方側の曲管部２１ｂはその一部が内フック２０ｂの下方にそれぞれ配置されている。
【００７５】
図５に示すように、パイプ２１の外径ｄは、パネル本体２００の基部２００ａ上の遮光用シート２５と第１のフック係止部４２０ａの下方端面との間の寸法Ｄよりも小さい（ｄ＜Ｄ）寸法に設定されている。これにより、パネル本体２００の基部２００ａ上の遮光用シート２５と第１のフック係止部４２０ａの下方端面との間にパイプ２１を介在させることができ、パネル本体２００における基部２００ａの裏面上で広領域にわたってパイプ２１を配置することができる。
【００７６】
保持部材２２は、パネル本体２００における基部２００ａの裏面と密着する板状の基部２３、及びパイプ２１を保持する断面半円状の湾曲部２４を有し、基部２００ａの裏面におけるシート接着領域を除く部位に配置され、全体が金属材料によって形成されている。
【００７７】
保持部材２２に対するパイプ２１の保持は、パイプ２１を弾性変形させて湾曲部２４にその開口２４ａから嵌め込むことにより行われる。
【００７８】
（空気式パネル３０の構成）
図６（ａ）及び（ｂ）は空気式パネルを示す。図７はチャンバーの保持構造を示す。図６（ａ）及び（ｂ）に示すように、空気式パネル３０は、パネル本体３００及びチャンバー３１を備え、熱媒体式パネル２０と同様に横桟４２（図３に示す）に取り付けられている。
【００７９】
空気式パネル３０のサイズとしては、例えば幅が４００〜６００ｍｍ程度の寸法に、長さが２１００〜２３００ｍｍ程度の寸法に、また高さが３０〜５０ｍｍ程度の寸法にそれぞれ設定されている。
【００８０】
パネル本体３００は、天井部としての基部３００ａ、この基部３００ａに対して立ち上がる立ち上がり壁３０１，３０２、及びこれら立ち上がり壁３０１，３０２のいずれかに隣接してパネル裏面側に傾斜する傾斜壁３０３，３０４を有し、室１（図１に示す）内の上方に配置されている。そして、パネル本体３００は、上方に開口し、全体がアルミニウム，アルミニウム合金あるいは鋼等の金属板かなる箱部材によって形成されている。パネル本体３００の形状については、空気式パネル３０のパネル取付位置に応じて異なる。
【００８１】
基部３００ａには、その表裏面に開口する複数の通気孔３０ａが設けられている。基部３００ａの裏面には、複数の通気孔３０ａを閉塞する遮光用シート２５が接着されている。
【００８２】
一方の立ち上がり壁３０１は、上方端縁に基部３００ａの裏面に対向する水平部３０５が設けられている。水平部３０５には、止め具３３，３４（図３に示す）をそれぞれ係止する係止孔３０９が設けられている。他方の立ち上がり壁３０２は、上方端縁にその外面に突出する端面略逆Ｌ字状の外フック３０ｃが設けられている。
【００８３】
傾斜壁３０３，３０４は、各領域Ｅａ，Ｅａ´，Ｅｂ，Ｅｂ´に配置されるパネル集合体の端部が傾斜壁となるように基部３００ａに対して所定の傾斜角（例えば４７°）をもって形成されている。
【００８４】
一方の傾斜壁３０３は、上方端縁に基部３００ａの裏面に対向する水平部３０８ａ、及びこの水平部３０８ａに垂直な垂直部３０８ｂからなる断面略逆Ｌ字状の折曲部３０８が設けられている。水平部３０８ａには、水平部３０５と同様に止め具（図示せず）を係止する係止孔３０９が設けられている。他方の傾斜壁３０４は、上方端縁にその内面に突出する断面略逆Ｌ字状の内フック３０ｂが設けられている。
【００８５】
チャンバー３１は、第１のチャンバー部３１０及び第２のチャンバー部３１１を有し、パネル本体３００の基部３００ａの裏面上におけるチャンバー設置領域に設置されている。
【００８６】
第１のチャンバー部３１０は、上面部３１０ａと、側面部３１０ｂ，３１０ｃ，３１０ｄ，３１０ｅと、座部３１０ｆとからなり、座部３１０ｆが第２のチャンバー部３１１にボルト３１４及びナット３１５によって固定され、全体が下方に開口する箱部材によって形成されている。
【００８７】
上面部３１０ａにはチャンバー３１内からスラブ５側に開口するスラブ側吐出口３１０ｇが、側面部３１０ｅにはチャンバー３１外からチャンバー３１内に空気を取り入れる空気取入口３１０ｈが、また座部３１０ｆにはボルト３１４を挿通させるボルト挿通孔３１０ｉがそれぞれ設けられている。
【００８８】
第２のチャンバー部３１１は、上面部３１１ａと、側面部３１１ｂ，３１１ｃ，３１１ｄ，３１１ｅとからなり、第１のチャンバー部３１０の上方に配置され、全体が下方に開口する箱部材によって形成されている。
【００８９】
上面部３１１ａには、第１のチャンバー部３１０と第２のチャンバー部３１１とを連通させる室内側吐出口３１１ｆ、及びボルト３１４を挿通させるボルト挿通孔３１１ｇが設けられている。
【００９０】
第２のチャンバー部３１１に対する第１のチャンバー部３１０の取り付けは、上面部３１１ａにパッキン３１２を介在させて座部３１０ｆを載置し、座部３１０ｆ，パッキン３１２及び上面部３１１ａ（ボルト挿通孔３１１ｉ）にボルト３１４を挿通させた後、このボルト挿通端部にナット３１５をねじ結合することにより行われる。
【００９１】
また、チャンバー３１は、図７に示すように、一方側が第１の横桟４２０に、他方側が補助桟２７にそれぞれチャンバー保持用のスプリング３８を介して保持され、かつ第１の横桟４２０及び補助桟２７に取り付けられている。
【００９２】
第１の横桟４２０及び補助桟２７に対するチャンバー３１の取り付けは、チャンバー保持用のスプリング３８を用いて行われる。
【００９３】
本実施の形態においては、チャンバー３１外から空気取入口３１０ｈを介してチャンバー３１内に調和空気が取り入れられると、スラブ側吐出口３１０ｇ（図６（ａ），（ｂ）に示す）を介して空気流通経路４０（図２に示す）に吐き出されるとともに、室内側吐出口３１１ｆ（図６（ｂ）に示す）を介して通気孔３０ａから室１（図１に示す）内に吐き出される。
【００９４】
（チャンバー保持用のスプリング３８の構成）
図８（ａ）及び（ｂ）はチャンバー保持用のスプリングを示す。図８（ａ）及び（ｂ）に示すように、チャンバー保持用のスプリング３８は、チャンバー３１（図７に示す）の取付部に対応するスプリング被取付部となる基部３８０、及び基部３８０に隣接する腕部３８２を有し、チャンバー３１の側面部３１０ｄ，３１０ｅ（図７に示す）における幅方向２位置に配置され、全体が薄形（厚さが０．４ｍｍ程度）の板ばねによって形成されている。
【００９５】
基部３８０は、矩形片からなり、チャンバー保持用のスプリング３８の一方端部に配置され、かつ第１のチャンバー部３１０の側面部３１０ｄ，３１０ｅに取り付けられている。
【００９６】
腕部３８２は、第１の腕部３８２ａ及び第２の腕部３８２ｂを有し、チャンバー３１の気密室３１ａの内外に跨って配置され、かつ第１の腕部３８２ａ及び第２の腕部３８２ｂが折り返し部３８２ｃを介して連続形成されている。そして、腕部３８２は、チャンバー３１の側面部３１０ｄ，３１０ｅに対する第２の腕部３８２ｂの気密室３１ａ内への摺動によって第１の腕部３８２ａ及び第２の腕部３８２ｂの挟角θが大きくなる方向に弾性変形するように、またチャンバー３１の側面部３１０ｄ，３１０ｅに対する第２の腕部３８２ｂの気密室３１ａ外への摺動によって第１の腕部３８２ａ及び第２の腕部３８２ｂとの間の挟角θが小さくなる方向に弾性復帰するようにそれぞれ構成されている。なお、気密室３１ａは、チャンバー３１内の空気がチャンバー３１外に漏れないようにする隔壁である。
【００９７】
第１の腕部３８２ａと第２の腕部３８２ｂの間の挟角θは、初期状態（腕部３８２ｂが弾性変形する前）において例えばθ＝７０°の角度に設定されている。第１の腕部３８２ａは基部３８０との間の挟角αが例えばα＝２８°の角度に初期状態において設定されている。
【００９８】
腕部３８２の折り返し部３８２ｃは、横桟４２に対するパネル本体３００の取付時における上昇動作によって第１の横桟４２０からチャンバー３１側への押し付け力を受けるように構成されている。これにより、腕部３８２の折り返し部３８２ｃがチャンバー３１側に押し付け力を受けると、チャンバー保持用のスプリング３８が弾性変形する。腕部３８２の折り返し部３８２ｃに対する押し付け力が解除されると、チャンバー保持用のスプリング３８が弾性復帰する。折り返し部３８２ｃの折り返し角度βは例えばβ＝１７°の角度に設定されている。
【００９９】
また、腕部３８２の折り返し部３８２ｃは、第１の横桟４２０及び補助桟２７に対するチャンバー３１の保持状態においてチャンバー３１の着座部として機能するように構成されている。
【０１００】
（空気調和システム１０の構成）
図９は空気調和システムを示す。図９に示すように、空気調和システム１０は、熱媒体式モジュール１２及び空気式モジュール１３を備え、建物内に配置されている。
【０１０１】
熱媒体式モジュール１２は、前述した熱媒体式パネル２０、及び熱媒体の温度，圧力，流量等を制御して調和水とする第２の制御部としての熱媒体制御部５０を有し、輻射熱によって室内温度を調節するように構成されている。
【０１０２】
熱媒体制御部５０には、温度調節された冷水が流通する冷水フィードライン５１と、熱媒体式パネル２０で熱交換された冷水が流通する冷水リターンライン５２と、温度調節された温水が流通する温水フィードライン５３と、熱媒体式パネル２０で熱交換された温水が流通する温水リターンライン５４とが接続されている。
【０１０３】
本実施の形態において、窓側の領域Ｅａ、Ｅａ’（図１に示す）では熱媒体式パネル２０による冷房及び暖房の両方の運転ができ、内側の領域Ｅｂ、Ｅｂ’（図１に示す）では熱媒体式パネル２０による冷房の運転のみができるようになっている。
【０１０４】
このため、窓側の領域Ｅａ、Ｅａ’には冷水又は温水が流通する窓側フィードライン５５及び窓側リターンライン５６が、また内側の領域Ｅｂ、Ｅｂ’には冷水が流通する内側フィードライン５７及び内側リターンライン５８がそれぞれ敷設されている。
【０１０５】
窓側フィードライン５５は、冷水フィードライン５１からの冷水の流入量を調整するフィード側冷水調整弁５５ａと、温水フィードライン５３からの温水の流入量を調整するフィード側温水調整弁５５ｂとを有し、冷水フィードライン５１及び温水フィードライン５３の側で二股に分岐して形成されている。温水フィードライン５３は、例えば冬期に比較的寒い窓側を暖房するために利用される。
【０１０６】
窓側リターンライン５６は、冷水リターンライン５２への冷水の流入量を調整するリターン側冷水調整弁５６ａと、温水リターンライン５４への温水の流入量を調整するリターン側温水調整弁５６ｂとを有し、冷水リターンライン５２及び温水リターンライン５４の側で二股に分岐して形成されている。
【０１０７】
一方、空気式モジュール１３は、前述した空気式パネル３０、及び空気の温度と湿度等を制御して調和空気とする第１の制御部としての空気調節部６０を有し、空気式パネル３０のチャンバー３１を介して室１（図２に示す）内に調和空気を供給し、室１内の温度，湿度を調節するように構成されている。
【０１０８】
空気調節部６０には、調和空気が流通する空調フィードライン６１が接続されている。
【０１０９】
空調フィードライン６１は、空気式パネル３０のチャンバー３１に分岐ライン６１ａを介して接続されている。これにより、空気調節部６０から空調フィードライン６１を介して空気式パネル３０のチャンバー３１に調和空気が供給される。
【０１１０】
本実施の形態における空気調節部６０は、空気流通経路４０（図２に示す）との間で熱交換された空気を室１（図１に示す）内へ循環させる循環手段として機能する。
【０１１１】
〔天井面形成用パネルの取付方法〕
次に、本発明の実施の形態に係る天井面形成用パネルの取付方法につき、図３及び図１０（ａ）〜（ｃ）を用いて説明する。図１０（ａ）〜（ｃ）は天井面形成用パネルの取付手順を示す。
【０１１２】
本実施の形態に示す天井面形成用パネルの取付方法は、「天井面形成用パネルの保持動作（第１のステップ）」，「天井面形成用パネルの上昇動作（第２のステップ）」，「天井面形成用パネルの水平移動動作（第３のステップ）」及び「天井面形成用パネルの下降動作（第４のステップ）」の各ステップが順次実施されるため、これら各ステップについて順次説明する。
【０１１３】
また、本実施の形態においては、第１の横桟４２０及び第２の横桟４２１に対して熱媒体式パネル２０（第１のパネル）を取り付ける方法について説明する。なお、第１のパネルに隣接する熱媒体式パネル２０（第２のパネル）は、第２の横桟４２Ｂ及び第３の横桟（図示せず）に取り付けられているものとする。
【０１１４】
「第１のステップ」
作業者（図示せず）は、図１０（ａ）に示すように、ワイヤ２６，２８等によって第１の横桟４２０及び補助桟２７に予め繋がれた熱媒体式パネル２０（第１のパネル）を水平にした状態に保持する。この場合、熱媒体式パネル２０（第１のパネル）は、パネル本体２００の裏面がパネル取付用のスプリング３５，３７の自由端部（腕部３５ｂ，３７ｂ）に対向する位置に配置されている。
【０１１５】
なお、熱媒体式パネル２０（第１のパネル）が第１の横桟４２０及び補助桟２７にワイヤ２６，２８等によって繋がれているため、「第１のステップ」において作業者が熱媒体式パネル２０（第１のパネル）を仮に手離しても、熱媒体式パネル２０（第１のパネル）が床面に落下することはない。
【０１１６】
「第２のステップ」
作業者は、熱媒体式パネル２０（第１のパネル）を上方（図１０（ａ）の矢印ｖ１方向）に移動させ、パネル本体２００の裏面をパネル取付用のスプリング３５，３７の腕部３５ｂ，３７ｂに押し付ける。
【０１１７】
次に、作業者は、図１０（ｂ）に示すように、パネル取付用のスプリング３５，３７のばね力に抗して矢印ｖ１方向に熱媒体式パネル２０（第１のパネル）をさらに上昇させて第１の横桟４２０及び第２の横桟４２１の側方に配置する。この場合、熱媒体式パネル２０（第１のパネル）は、第１のフック２０ｂの下方端面が第１のフック係止部４２０ａの上方端面よりも上方に、また第２のフック２０ｃの下方端面が第２のフック係止部４２１ａの上方端面よりも上方にそれぞれ位置するように配置される。
【０１１８】
「第３のステップ」
作業者は、図１０（ｃ）に示すように、「第２のステップ」における熱媒体式パネル２０によるパネル取付用のスプリング３５，３７への押し付け状態を維持しながら、熱媒体式パネル２０（第１のパネル）を水平方向（矢印ｈ方向）に移動させて「第２のステップ」の位置（図１０（ｂ）に示す位置）よりも第１の横桟４２０及び第２の横桟４２１に接近する位置に配置する。この場合、熱媒体式パネル２０（第１のパネル）は、第１のフック２０ｂが第１のフック係止部４２０ａによる係止位置の上方に、また第２のフック２０ｃが第２のフック係止部４２１ａによる係止位置の上方にそれぞれ位置するように配置される。
【０１１９】
「第４のステップ」
作業者は、図３に示すように、パネル取付用のスプリング３５，３７のばね力による押し付け力を受けながら下方（矢印ｖ２方向）に熱媒体式パネル２０（第１のパネル）を移動させ、熱媒体式パネル２０（第１のパネル）の第１のフック２０ｂを第１のフック係止部４２０ａに、また熱媒体式パネル２０（第２のパネル）の第１のフック２０ｂを介して第２のフック２０ｃを第２のフック係止部４２１ａにそれぞれ係止する。この場合、第１のフック２０ｂの第１のフック係止部４２０ａへの係止、及び第２のフック２０ｃの第２のフック係止部４２１ａへの係止は、パネル取付用のスプリング３５，３７のばね力による熱媒体式パネル２０への押し付け状態が維持されたまま行われる。これにより、熱媒体式パネル２０（第１のパネル）の第１のフック２０ｂが第１のフック係止部４２０ａに、また第２のフック２０ｃが第２のフック係止部４２１ａに熱媒体式パネル２０（第２のパネル）の第１のフック２０ｂを介してそれぞれ係止されると、熱媒体式パネル２０が第１の横桟４２０及び第２の横桟４２１に対して取り付けられる。
【０１２０】
このようにして、熱媒体式パネル２０（第１のパネル）を横桟４２に取り付けることができる。他の熱媒体式パネル２０についても上記取付方法と同様の取付方法によって横桟４２に取り付けることができる。
【０１２１】
一方、空気式パネル３０については、予めチャンバー３１が第１の横桟４２０及び補助桟２７に取り付けられ、その後にパネル本体３００が取り付けられる。
【０１２２】
空気式パネル３０のパネル本体３００は、熱媒体式パネル２０の取付方法と略同様の取付方法によって、すなわち前述した「第１のステップ」〜「第４のステップ」と略同様のステップを経て横桟４２に取り付けられる。
【０１２３】
これにより、第２のステップではパネル本体３００と共にチャンバー３１が上昇し、第３のステップではパネル本体３００のみが水平方向に移動し、第４のステップではパネル本体３００と共にチャンバー３１が下降する。第２のステップにおいて、チャンバー３１がパネル本体３００と共に上昇するが、その上昇にチャンバー保持用のスプリング３８が障害となることはない。
【０１２４】
第１の横桟４２０及び補助桟２７に対するチャンバー３１の保持は図１１（ａ）及び（ｂ）に示すステップを経て行われる。図１１（ａ）はチャンバー保持用のスプリング３８を弾性変形させた状態を、また図１１（ｂ）はチャンバー保持用のスプリング３８を弾性復帰させた状態をそれぞれ示す。
【０１２５】
〔実施の形態の効果〕
以上説明した実施の形態によれば、次に示す効果が得られる。
【０１２６】
（１）熱媒体式パネル２０及び空気式パネル３０の取付時にステップ数を削減することができ、熱媒体式パネル２０及び空気式パネル３０の取付作業を簡単に行うことができる。
【０１２７】
（２）パネル取付用のスプリング３５，３７によって係止力を高めることができ、地震などの比較的大きな揺れによって桟部材７から熱媒体式パネル２０及び空気式パネル３０が外れる虞を解消することができる。
【０１２８】
（３）熱媒体式パネル２０及び空気式パネル３０を室１内で４本のワイヤ２６，２８によって略水平に保持することができ、この略水平状態で熱媒体式パネル２０及び空気式パネル３０の裏側の保守・点検及びパイプ２１，チャンバー３１の交換等を行うことができる。この場合、２本のワイヤ２８による熱媒体式パネル２０及び空気式パネル３０の保持状態を解除し、熱媒体式パネル２０及び空気式パネル３０を２本のワイヤ２６のみで保持すると、熱媒体式パネル２０及び空気式パネル３０を略水平状態から略垂直状態に保持することができるため、熱媒体式パネル２０，空気式パネル３０の裏側の保守・点検及びパイプ２１，チャンバー３１の交換等を一層効果的に行うことができ、保守・点検作業及び交換作業の簡素化を図ることができる。
【０１２９】
（４）パネル本体２００の基部２００ａ上の遮光用シート２５と第１のフック係止部４２０ａの下方端面との間にパイプ２１を介在させることができるため、パネル本体２００における基部２００ａの裏面上で広領域にわたってパイプ２１を配置することができる。これにより、パイプ２１の外径ｄ及びパネル本体２００の高さを従来のようには大きい寸法に設定する必要がないため、吊設型熱媒体式パネル２０の薄型化に応じることができる。
【０１３０】
以上、本発明の天井面形成用パネルの取付構造、空気調和ユニット、空気調和システム及び天井面形成用パネルの取付方法を上記の実施の形態に基づいて説明したが、本発明は上記の実施の形態に限定されるものではなく、その要旨を逸脱しない範囲で種々の態様において実施することが可能であり、例えば次に示すような変形も可能である。
【０１３１】
（１）上記実施の形態では、熱媒体式パネル２０及び空気式パネル３０の天井面形成用パネルがオフィス等の室１内に配置されている場合について説明したが、本発明はこれに限定されず、例えば病室，研究室，スポーツジム等の室内に天井面形成用パネルを配置してもよい。
【０１３２】
（２）上記実施の形態では、天井面形成用パネルが金属材料によって形成されている場合について説明したが、本発明はこれに限定されず、石膏，木材等の他の材料から天井面形成用パネルを形成してもよく、また金属材料と他の材料とを重ね合わせた複合材料によって形成してもよい。
【０１３３】
（３）上記実施の形態では天井側の蓄熱体をスラブとしたが、本発明は天井側の蓄熱体がスラブに限定されるものでないことは勿論である。
【符号の説明】
【０１３４】
１…室、１ａ…柱部、１ｂ…ガラス窓、１ｃ…梁部、２…室内照明灯、４…取付構造、５…スラブ、７…桟部材、９…屋外、１０…空気調和システム、１１…空気調和ユニット、１２…熱媒体式モジュール、１３…空気式モジュール、１７，１８…取付金具、２０…熱媒体式パネル、２０ａ…吸音孔、２０ｂ…内フック、２０ｃ…外フック、２１…パイプ、２１ａ…直管部、２１ｂ…曲管部、２２…保持部材、２３…板状部、２４…湾曲部、２４ａ…開口、２５…遮光用シート、２６…ワイヤ、２７…補助桟、２８，２９…ワイヤ、３０…空気式パネル、３０ａ…通気孔、３０ｂ…内フック、３０ｃ…外フック、３１…チャンバー、３１ａ…気密室、３２…遮光用シート、３３，３４…止め具、３５…パネル取付用のスプリング、３５ａ…屈曲部、３５ｂ，３５ｃ…腕部、３６…止め具、３７…パネル取付用のスプリング、３７ａ…屈曲部、３７ｂ，３７ｃ…腕部、３８…チャンバー保持用のスプリング、４０…空気流通経路、４１…縦桟、４２…横桟、５０…熱媒体制御部、５１…冷水フィードライン、５２…冷水リターンライン、５３…温水フィードライン、５４…温水リターンライン、５５…窓側フィードライン、５５ａ…フィード側冷水調整弁、５５ｂ…フィード側温水調整弁、５６…窓側リターンライン、５６ａ…リターン側冷水調整弁、５６ｂ…ターン側温水調整弁、５７…内側フィードライン、５８…内側リターンライン、６０…空気調節部、６１…空調フィードライン、６１ａ…分岐ライン、２００…パネル本体、２００ａ…基部、２０１，２０２…立ち上がり壁、２０３，２０４…傾斜壁、２０５…水平部、２０８…折曲部、２０８ａ…水平部、２０８ｂ…垂直部、２０９…係止孔、３００…パネル本体、３００ａ…基部、３０１，３０２…立ち上がり壁、３０３，３０４…傾斜壁、３０５…水平部、３０８…折曲部、３０８ａ…水平部、３０８ｂ…垂直部、３０９…係止孔、３１０…第１のチャンバー部、３１０ａ…上面部、３１０ｂ，３１０ｃ，３１０ｄ，３１０ｅ…側面部、３１０ｆ…座部、３１０ｇ…スラブ側吐出口、３１０ｈ…空気取入口、３１０ｉ…ボルト挿通孔、３１１…第２のチャンバー部、３１１ａ…上面部、３１１ｂ，３１１ｃ，３１１ｄ，３１１ｅ…側面部、３１１ｆ…室内側吐出口、３１１ｇ…ボルト挿通孔、３１１ｈ…３１２…パッキン、３１４…ボルト、３１５…ナット、３８０…基部、３８２…腕部、３８２ａ…第１の腕部、３８２ｂ…第２の腕部、３８２ｃ…折り返し部、４２０…第１の横桟、４２０ａ…第１のフック係止部、４２０ｂ…第１のワイヤ係止部、４２１…第２の横桟、４２１ａ…第２のフック係止部、４２１ｂ…第２のワイヤ係止部、ａ…第１のパネル集合体、ｂ…第２のパネル集合体、ｄ…外径、Ｄ…寸法、Ｇ…空間部、Ｅａ，Ｅａ'…窓側の領域、Ｅｂ，Ｅｂ'…内側の領域、θ，α，β…挟角
【図１】
0005545480.tif 000002
【図２】
0005545480.tif 000003
【図３】
0005545480.tif 000004
【図４】
0005545480.tif 000005
【図５】
0005545480.tif 000006
【図６】
0005545480.tif 000007
【図７】
0005545480.tif 000008
【図８】
0005545480.tif 000009
【図９】
0005545480.tif 000010
【図１０】
0005545480.tif 000011
【図１１】
0005545480.tif 000012